(57)【要約】本発明は、補助的に照光された装飾を組み込む、フロアおよび他の実用的な空間の作成を容易にする。建築部材は、その十分な厚みが２÷１８ｍｍ周辺で変動する底部層（７）と、その厚みが３から１８ｍｍにわたることになる、光要素（４）が位置するくぼみ、刻印、および／または、溝といった設計の追加要素の、中間の光透過層と、その厚みが１÷１８ｍｍ周辺で変動し、装飾的なくぼみなどの設計の要素がまた中に組み込まれている上部層（１）との利用に基づいた事実による特性を有する。前述の光源（４）は、輪状におよび／もしくは別個になるように、ならびに／または底部層（７）と上部層（１）との間に配置される。建築部材は、好ましくは厚みが１÷１２ｍｍである、光マットのみならず追加層（９）より下に位置する加熱マット（６）と、好ましくは厚みが１÷１２ｍｍである、設計の補助要素（１０）とを組み込みことができる。【選択図】なし【特許請求の範囲】
【請求項１】
建設業界の住宅および公共施設の両方の建築指向部門の屋内および屋外の外面仕上げのために利用されてもよい建築部材において、大多数のケースにおいて、前記部材は、多角の輪郭および設計によって特徴的であり、十分な厚みが２÷１８ｍｍ周辺で変動する底部層（７）、透明の充填物および照明要素（４）のような前記設計の追加の要素が前述の層（２）に位置するものとする、厚みが３から１８ｍｍにわたることになる中間の光透過層（３）、厚みが１÷１８ｍｍ周辺で変動し、前記設計の要素（２）がまた中に組み込まれて、好ましくは透明になるように適切に充填されるものとする上部層（１）の利用に基づいている、建築部材。
【請求項２】
光源（４）は、ＬＥＤダイオードおよび／もしくはＬＥＤダイオードセット、光ファイバ、ハロゲンランプ、冷陰極、ならびに／または光マットであるという事実を特徴とする、請求項１に記載の要素。
【請求項３】
前記光源（４）は、輪状におよび／もしくは別個になるように、ならびに／または底部層（７）と上部層（１）との間に配置されるという事実を特徴とする、請求項１に記載の要素。
【請求項４】
底構造層（７）と光透過層（３）との間に配置される固定光マット（８）があるという事実を特徴とする、請求項１に記載の要素。
【請求項５】
前記上部層（１）は、木、および／もしくは木製調の素材、セラミックス、グラウト、天然の石材、ガラス、ベークライト、礫石、金属、織物、セメント、ペイントされた底部層を有するガラス、加工ガラス、プラスチック、ならびに／または樹脂で作られているという事実を特徴とする、請求項１に記載の要素。
【請求項６】
前記上部層（１）は、樹脂、ガラス、接着剤、および／もしくは鉱石で生成された透明要素（１０）、ならびに／または、透明でない鉱石、グラウト、石、および／もしくは原鉱で生成された非透明要素を組み込み、前記要素の好ましい厚みは、１÷１２ｍｍの周辺で変動するものとし、前記要素は、前記光透過層（３）の内部に、および／または前記上部層（１）の内部に配置されることになるという事実を特徴とする、請求項１に記載の要素。
【請求項７】
前記光透過層（３）は、ガラス、樹脂、プレキシガラス、ポリカーボネート、および／または接着調合剤で作られている追加層（９）を組み込み、前述の層の好ましい厚みは、（他のすべての設計要素（１０）が取り付けられて）１から１２ｍｍにわたることになるという事実を特徴とする、請求項１に記載の要素。
【請求項８】
前記上部層は平面、凹面、および／または凸面であるという事実を特徴とする、請求項１に記載の要素。
【請求項９】
前記光透過層（３）は、好ましくは３÷１８ｍｍの厚みであり、耐水性、光透過性、および／または発光性のものであるという事実を特徴とする、請求項１に記載の要素。
【請求項１０】
前記底部層（７）と前記光透過層との間に位置する加熱マット（６）があるという事実を特徴とする、請求項１に記載の要素。
【発明の詳細な説明】
【技術分野】
【０００１】
本発明は、建設業界の住宅および公共施設の両方の建築を指向する部門の、屋内および屋外の外面仕上げのために利用されてもよい建築部材に関する。したがって、前述の部品は、床、壁、天井、建物外面、プールとともに、広告関連および情報の垂幕のような空間を仕上げ、または、装飾するのに利用されてもよい。さらに、部材は家具造作業界においても使用されてもよい。
【背景技術】
【０００２】
現在、数多くの仕上げ要素が発明され、特許化されている。羽毛で覆われたフロアパネルの利用が、現代の建築業界において広く普及している。さらに、何らかの接着物質を利用する必要性もなく、機械的に共に結合されるパネルはまた、広く認識されており、それらの人気は絶えず増している。さらに、木製のベニヤ材を基礎とする特別な床仕上げ材が、幅広い方法で建設業界において使用されている。前述の素材は、厚みが６÷９ｍｍ周辺で変動する硬質繊維板の心材、０．２÷０．８ｍｍの厚みの上部層とともに、厚みが０．１から０．６ｍｍにわたる平衡底部層を組み込む。上部層は、素材の耐久性と適切な見た目を確実にするような方法で設計される。
【０００３】
ポーランド特許第２０９０６９号の発明の説明によって適切に精通することができるが、主にガラスを材料とした、特にタイルの形状の壁仕上げ材料を特定することができる。当該材料は、住宅の壁面を覆うのとともに、レンガ壁、床および天井を装飾するのに使用されてもよい。前述の素材は、ガラスの基礎を有し、耐水ワニスの層で覆われている。当該素材は、土台モルタル、またはセメント接着剤によって、壁に取り付けられてもよいという事実による特性を持つ。
【０００４】
ポーランド特許第２０８９８５号の発明の説明によって適切に精通することができるが、共に結合された硬質素材のシートでできており、後に付加的な支持部品に取り付けられる耐荷重板の利用に基づいて作成される吊り天井を特定することができる。板のいくつかの要素は半透明であり、吊り板の上に配置される少なくとも１つの光源がある。前述の板は、同一または類似の直径のものであってもよい付加的な穴を有し、当該穴内部に半透明のガラス板が配置される。さらに、その耐荷重板は、素材のほんのわずかな数のシートで作られており、板の別個の層である。層における穴は、同一の形状を有するが、上層の直径は、下層の直径よりも大きい。このような設計によって、前述のガラス板が配置される縁上に切欠き部を作成することが可能になる。
【０００５】
ポーランド特許第３８０１３５号の発明の説明によって適切に精通することができるが、その縁部が付加的に照光されるスクリーンを組み込むパネルを特定することができる。蛍光塗料、特殊クレヨン、またはマーカーによって、スクリーン上に記される。スクリーンは、枠内に配置される透明の光透過板の形態を有する。枠は、建設物の少なくとも１つの側面に取り付けられた、少なくとも１つの光源を備えている。この発明の説明によると、枠に組み込まれた光反射部材があってもよい。可視光の少なくとも一部を吸収する暗幕がパネルの背面に取り付けられ、光反射部材はパネルの側面および正面層の断片である板の縁によって取り囲まれる。光源は、光線が板の内部に方向付けられるような方法で、光反射要素によって取り囲まれた縁の近くに配置される。
【０００６】
ポーランド特許代３６６４７６号の発明の説明によって適切に精通することができるが、ランダムな形およびサイズのタイルの形態における装飾要素を特定することができる。これは、装飾要素が、タイルの正面層を照光する、好ましくはダイオードまたは光ファイバの光源を組み込むという事実による特性である。光源は、タイルに、好ましくはその背面層に対して、取り付けられる。光源は、個別に、または、線形になるように配置されてもよい。
【０００７】
ポーランド特許第３８１２７６号の発明の説明によって適切に精通することができるが、ＬＣＤまたはプラズマディスプレイによって照光される、床の設置技術を特定することができる。その技術は、２つの基礎的な解決法の組み合わせに基づいている。すなわち、壁または天井とともに、照光された床（このようなケースの光源は、電球、ＬＥＤダイオード等である）に設置された、単一の放送スクリーンを作成するための（コンピュータによって制御された）ＬＣＤまたはプラズマディスプレイの統合である。床は、冷却されたガラスの層で覆われ、耐荷重建設物に取り付けられる。この技術を前提とすると、このような床は、クラブ、パブ、コンサートホール、ＴＶスタジオ、および、大衆のイベントが開催される他の場所において設置されてもよい。
【発明の概要】
【発明が解決しようとする課題】
【０００８】
本発明は、追加的な装飾要素を取り付けることによって、建設の適切な仕上げを容易にすることを目的とする。本発明はまた、既に建設された対象物において利用されてもよく、既存の仕上げ要素に対して調整されてもよい。
【課題を解決するための手段】
【０００９】
部材はその設計による特性を有し、その十分な厚みが２÷１８ｍｍ周辺で変動する底部層と、その厚みが３から１８ｍｍにわたることになる中間の光透過層（透明の充填物および照明要素のような設計の追加の部品が前述の層に位置するものとする）、その厚みが１÷１８ｍｍ周辺で変動し、設計の要素がまたその中に組み込まれて、好ましくは透明であるようで適切に充填されることになる、上部層との利用に基づいている。光源は、ＬＥＤダイオードおよび／もしくはＬＥＤダイオードセット、光ファイバ、ハロゲンランプ、冷陰極、ならびに／または光マットである。光源は、輪状に、別個の方法で、ならびに／または底部層と上部層との間に配置される。底構造層と光透過層との間に配置される固定光マットがある。
【００１０】
部品の上部層は、木、および／または木製調の素材、セラミックス、グラウト、天然の石材、ガラス、ベークライト、礫石、金属、織物、セメント、ペイントされた底部層を有するガラス、加工ガラス、プラスチック、ならびに／または樹脂で作られている。上部層は、樹脂、ガラス、接着剤、および／もしくは鉱石で生成された透明要素、ならびに／または、透明でない鉱石、グラウト、石、および／もしくは原鉱で生成された非透明要素を組み込む。要素の好ましい厚みは、１÷１２ｍｍの周辺で変動するものとする。この部品は、光透過層の内部に、および／または上部層の内部に配置されることになる。光透過層は、ガラス、樹脂、プレキシガラス、ポリカーボネート、および／または接着調合剤で作られている、追加の層を組み込む。前述の層の好ましい厚みは、（設計上の他のすべての要素が取り付けられて）１から１２ｍｍにわたるものとする。底部層と光透過層との間に位置する加熱マットがある。
【発明の効果】
【００１１】
本発明の利点は、設計の簡潔性であり、様々な応用において部品を利用可能にするとともに、組立および解体の容易性を可能にしている。エンドユーザの視点からの追加の利点は、解決法の独創性であり、これは、クラブ、パブ、オフィス、アパート等の室内設計を改善するのに利用されてもよい。
【００１２】
本発明はまた、既に建設された対象物において利用されてもよく、既存の仕上げ部材に対して調整されてもよい。本発明のケースでは、板ベースの設計を修正および調整して、バスタブやラップトップカバーのような普通でない場所において、部品の利用を容易にしてもよい。
【図面の簡単な説明】
【００１３】
【図１】光源の好ましい配置の提示とともに、建築部材の共通部分を示す図である。
【図２】光源の好ましい配置の提示とともに、建築部材の共通部分を示す図である。
【図３】光源の好ましい配置の提示とともに、建築部材の共通部分を示す図である。
【図４】光源の好ましい配置の提示とともに、建築部材の共通部分を示す図である。
【図５】光源の好ましい配置の提示とともに、建築部材の共通部分を示す図である。
【図６】光源の好ましい配置の提示とともに、建築部材の代替の第２の変形の共通部分を示す図である。
【図７】光源の好ましい配置の提示とともに、建築部材の代替の第２の変形の共通部分を示す図である。
【図８】光源の好ましい配置の提示とともに、建築部材の代替の第２の変形の共通部分を示す。
【図９】光源の好ましい配置の提示とともに、建築部材の代替の第２の変形の共通部分を示す図である。
【図１０】光源の好ましい配置の提示とともに、建築部材の代替の第３の変形の共通部分を示す図である。
【図１１】光源の好ましい配置の提示とともに、建築部材の代替の第３の変形の共通部分を示す図である。
【図１２】光源の好ましい配置の提示とともに、建築部材の代替の第３の変形の共通部分を示す図である。
【図１３】光源の好ましい配置の提示とともに、建築部材の代替の第３の変形の共通部分を示す図である。
【図１４】光源の好ましい配置の提示とともに、建築部材の代替の第４の変形の共通部分を示す図である。
【図１５】光源の好ましい配置の提示とともに、建築部材の代替の第４の変形の共通部分を示す図である。
【図１６】光源の好ましい配置の提示とともに、建築部材の代替の第４の変形の共通部分を示す図である。
【図１７】光源の好ましい配置の提示とともに、建築部材の代替の第４の変形の共通部分を示す図である。
【図１８】光源の好ましい配置の提示とともに、建築部材の代替の第４の変形の共通部分を示す図である。
【図１９】光源の好ましい配置の提示とともに、建築部材の代替の第５の変形の共通部分を示す図である。
【図２０】光源の好ましい配置の提示とともに、建築部材の代替の第５の変形の共通部分を示す図である。
【図２１】光源の好ましい配置の提示とともに、建築部材の代替の第５の変形の共通部分を示す図である。
【図２２】光源の好ましい配置の提示とともに、建築部材の代替の第５の変形の共通部分を示す図である。
【図２３】光源の好ましい配置の提示とともに、建築部材の代替の第５の変形の共通部分を示す図である。
【図２４】光源の好ましい配置の提示とともに、建築部材の代替の第６の変形の共通部分を示す図である。
【図２５】光源の好ましい配置の提示とともに、建築部材の代替の第６の変形の共通部分を示す図である。
【図２６】光源の好ましい配置の提示とともに、建築部材の代替の第６の変形の共通部分を示す図である。
【図２７】光源の好ましい配置の提示とともに、建築部材の代替の第６の変形の共通部分を示す図である。
【図２８】光源の好ましい配置の提示とともに、建築部材の代替の第６の変形の共通部分を示す図である。
【図２９】建築部材の代替の第７の変形の共通部分を示す図である。
【図３０】建築部材の代替の第７の変形の共通部分を示す図である。
【発明を実施するための形態】
【００１４】
本発明は、寸法が５９８ｍｍ×５９８ｍｍに等しい四角の初期形態を有するが、特定の応用に適するように、サイズが調整されてもよい。建築部材はまた、長方形または楕円形の形態を有していてもよく、その上の層は平面、凹面、または凸面であってもよい。
【００１５】
建築部材は、木製の上部層１、設計のキー要素２が配置される層を組み込む。この層は、追加的に適切な光源４を備えている光透過層３とする。設計のキー要素２はまた、上部層１に配置されてもよく、追加的に、ガラス、樹脂、プレキシガラス、ポリカーボネート、または接着剤で作られた補助層９に位置することができる。前述の層の厚みは、好ましくは、設計の全ての要素１０が組立てられた後に、１０ｍｍを越えないものとする。上部層１は、木製であるが、木製調の素材、セラミックス、グラウト、天然の石材、ガラス、ベークライト、礫石、金属、織物、セメント、ペイントされた底部層を有するガラス、加工ガラス、プラスチック、または樹脂で作られていてもよい。建築部材はまた、ガラスの他、合板、グラウト、金属、織物、セメント、ＰＶＣ、または樹脂で作られていてもよい、４ｍｍの厚みの底部層７を組み込んでもよい。底部層７は、光透過層３に連結されており、光透過層３は、ガラスの他、樹脂、プレキシガラス、ポリカーボネートで作られていてもよく、その厚みは１０ｍｍに等しいものとする。前述の層は、ガラスで覆われた、設計のキー要素２を組み込む。カバーリング素材に使用されてもよいものも、樹脂、接着剤の他、透明の素材である。光源４は、前述の層の内部に輪状にまたは別個になるように、前述の層の内部に配置される。光源４は、ＬＥＤダイオードの他、ＬＥＤダイオードセット、光ファイバ、ハロゲンランプ、または、冷陰極であってもよい。底部層７と光透過３との間に配置される光マット８は、オプション的材料として利用されてもよい。光源はまた、層の縁５に配置されてもよい。建築要素は、また、加熱マット６も備えていてもよく、これは、光マットの隣に、または光マットの代わりに配置されてもよい。
【００１６】
図１は、前述の建築部材を表し、これは、設計のキー要素２が配置される光透過層３と結合した上部層１からなる。光透過層３は、底部層７に直接連結され、光源４はその上の部分に配置される。上部層１と、底部層７との間に、適切に形成された縁５がある。
【００１７】
図２は、前述の建築部材を表し、これは、設計のキー要素２が配置される光透過層３と結合した上部層１からなる。光透過層３は、底部層７に直接連結され、光源４はその上の部分に配置される。上部層１と、底部層７との間に、適切に形成された縁５がある。
【００１８】
図３は、前述の建築部材を表し、これは、設計のキー要素２が配置される光透過層３と結合した上部層１からなる。光透過層３は、底部層７に直接連結され、光源４はその上の部分に配置される。上部層１と、底部層７との間に、適切に形成された縁５がある。
【００１９】
図４は、前述の建築部材を表し、これは、設計のキー要素２が配置される光透過層３と結合した上部層１からなる。光透過層３は、（光マット８が取り付けられた）底部層７に直接連結され、光源４はその上の部分に配置される。上部層１と、底部層７との間に、適切に形成された縁５がある。
【００２０】
図５は、前述の建築部材を表し、これは、設計のキー要素２が配置される光透過層３と結合した上部層１からなる。光透過層３は、（光マット８が取り付けられた）底部層７に直接連結され、光源４はその上の部分に配置される。上部層１と、底部層７との間に、適切に形成された縁５がある。
【００２１】
図６は、前述の建築部材を表し、これは、設計のキー要素２が配置される光透過層３と結合した上部層１からなる。上部層１の上の部分に取り付けられた、設計の追加要素１０がある。光透過層３は、底部層７に直接連結され、光源４はその上の部分に配置される。上部層１と、底部層７との間に、適切に形成された縁５がある。
【００２２】
図７は、前述の建築部材を表し、これは、設計のキー要素２が配置される光透過層３と結合した上部層１からなる。上部層１の上の部分に取り付けられた、設計の追加要素１０がある。光透過層３は、底部層７に直接連結され、光源４はその上の部分に配置される。上部層１と、底部層７との間に、適切に形成された縁５がある。
【００２３】
図８は、前述の建築部材を表し、これは、設計のキー要素２が配置される光透過層３と結合した上部層１からなる。上部層１の上の部分に取り付けられた、設計の追加要素１０がある。光透過層３は、底部層７に直接連結され、光源４はその上の部分に配置される。上部層１と、底部層７との間に、適切に形成された縁５がある。
【００２４】
図９は、前述の建築部材を表し、これは、設計のキー要素２が配置される光透過層３と結合した上部層１からなる。上部層１の上の部分に取り付けられた、設計の追加要素１０がある。光透過層３は、（光マット８が取り付けられた）底部層７に直接連結され、光源４はその上の部分に配置される。上部層１と、底部層７との間に、適切に形成された縁５がある。
【００２５】
図１０は、前述の建築部材を表し、これは、設計のキー要素２が配置される光透過層３と結合した上部層１からなる。上部層１の上の部分に取り付けられた、設計の追加要素１０がある。光透過層３は、底部層７に直接連結され、光源４はその上の部分に配置される。上部層１と、底部層７との間に、適切に形成された縁５がある。
【００２６】
図１１は、前述の建築部材を表し、これは、設計のキー要素２が配置される光透過層３と結合した上部層１からなる。上部層１の上の部分に取り付けられた、設計の追加要素１０がある。光透過層３は、底部層７に直接連結され、光源４はその上の部分に配置される。上部層１と、底部層７との間に、適切に形成された縁５がある。
【００２７】
図１２は、前述の建築部材を表し、これは、設計のキー要素２が配置される光透過層３と結合した上部層１からなる。上部層１の上の部分に取り付けられた、設計の追加要素１０がある。光透過層３は、底部層７に直接連結され、光源４はその上の部分に配置される。上部層１と、底部層７との間に、適切に形成された縁５がある。
【００２８】
図１３は、前述の建築部材を表し、これは、設計のキー要素２が配置される光透過層３と結合した上部層１からなる。上部層１の上の部分に取り付けられた、設計の追加要素１０がある。光透過層３は、（光マット８が取り付けられた）底部層７に直接連結され、光源４はその上の部分に配置される。上部層１と、底部層７との間に、適切に形成された縁５がある。
【００２９】
図１４は、前述の建築部材を表し、これは、設計のキー要素２が配置される追加層９と結合した上部層１からなる。光透過層３は、底部層７に直接連結され、光源４はその上の部分に配置される。上部層１と、底部層７との間に、適切に形成された縁５がある。
【００３０】
図１５は、前述の建築部材を表し、これは、設計のキー要素２が配置される追加層９と結合した上部層１からなる。光透過層３は、底部層７に直接連結され、光源４はその上の部分に配置される。上部層１と、底部層７との間に、適切に形成された縁５がある。
【００３１】
図１６は、前述の建築部材を表し、これは、設計のキー要素２が配置される追加層９と結合した上部層１からなる。光透過層３は、底部層７に直接連結され、光源４はその上の部分に配置される。上部層１と、底部層７との間に、適切に形成された縁５がある。
【００３２】
図１７は、前述の建築部材を表し、これは、設計のキー要素２が配置される追加層９と結合した上部層１からなる。光透過層３は、（光マット８が取り付けられた）底部層７に直接連結される。上部層１と、底部層７との間に、適切に形成された縁５がある。
【００３３】
図１８は、前述の建築部材を表し、これは、設計のキー要素２が配置される追加層９と結合した上部層１からなる。光透過層３は、（光マット８が取り付けられた）底部層７に直接連結され、光源４はその上の部分に配置される。上部層１と、底部層７との間に、適切に形成された縁５がある。
【００３４】
図１９は、前述の建築部材を表し、これは、設計のキー要素２が配置される追加層９と結合した上部層１からなる。上部層１の上の部分に取り付けられた、設計の追加要素１０がある。光透過層３は、底部層７に直接連結され、光源４はその上の部分に配置される。上部層１と、底部層７との間に、適切に形成された縁５がある。
【００３５】
図２０は、前述の建築部材を表し、これは、設計のキー要素２が配置される追加層９と結合した上部層１からなる。上部層１の上の部分に取り付けられた、設計の追加要素１０がある。光透過層３は、底部層７に直接連結され、光源４はその上の部分に配置される。上部層１と、底部層７との間に、適切に形成された縁５がある。
【００３６】
図２１は、前述の建築部材を表し、これは、設計のキー要素２が配置される追加層９と結合した上部層１からなる。上部層１の上の部分に取り付けられた、設計の追加要素１０がある。光透過層３は、底部層７に直接連結され、光源４はその上の部分に配置される。上部層１と、底部層７との間に、適切に形成された縁５がある。
【００３７】
図２２は、前述の建築部材を表し、これは、設計のキー要素２が配置される追加層９と結合した上部層１からなる。上部層１の上の部分に取り付けられた、設計の追加要素１０がある。光透過層３は、（光マット８が取り付けられた）底部層７に直接連結され、光源４はその上の部分に配置される。上部層１と、底部層７との間に、適切に形成された縁５がある。
【００３８】
図２３は、前述の建築部材を表し、これは、設計のキー要素２が配置される追加層９と結合した上部層１からなる。上部層１の上の部分に取り付けられた、設計の追加要素１０がある。光透過層３は、（光マット８が取り付けられた）底部層７に直接連結され、光源４はその上の部分に配置される。上部層１と、底部層７との間に、適切に形成された縁５がある。
【００３９】
図２４は、前述の建築部材を表し、これは、設計のキー要素２が配置される追加層９と結合した上部層１からなる。上部層１の上の部分に取り付けられた、設計の追加要素１０がある。光透過層３は、底部層７に直接連結され、光源４はその上の部分に配置される。上部層１と、底部層７との間に、適切に形成された縁５がある。
【００４０】
図２５は、前述の建築部材を表し、これは、設計のキー要素２が配置される追加層９と結合した上部層１からなる。上部層１の上の部分に取り付けられた、設計の追加要素１０がある。光透過層３は、底部層７に直接連結され、光源４はその上の部分に配置される。上部層１と、底部層７との間に、適切に形成された縁５がある。
【００４１】
図２６は、前述の建築部材を表し、これは、設計のキー要素２が配置される追加層９と結合した上部層１からなる。上部層１の上の部分に取り付けられた、設計の追加要素１０がある。光透過層３は、底部層７に直接連結され、光源４はその上の部分に配置される。上部層１と、底部層７との間に、適切に形成された縁５がある。
【００４２】
図２７は、前述の建築部材を表し、これは、設計のキー要素２が配置される追加層９と結合した上部層１からなる。上部層１の上の部分に取り付けられた、設計の追加要素１０がある。光透過層３は、（光マット８が取り付けられた）底部層７に直接連結され、光源４はその上の部分に配置される。上部層１と、底部層７との間に、適切に形成された縁５がある。
【００４３】
図２８は、前述の建築部材を表し、これは、設計のキー要素２が配置される追加層９と結合した上部層１からなる。上部層１の上の部分に取り付けられた、設計の追加要素１０がある。光透過層３は、（光マット８が取り付けられた）底部層７に直接連結され、光源４はその上の部分に配置される。上部層１と、底部層７との間に、適切に形成された縁５がある。
【００４４】
図２９は、前述の建築部材を表し、これは、光透過層３と結合した上部層１からなる。上部層１の上の部分に取り付けられた、設計の追加要素１０がある。光透過層３は、（光マット８が取り付けられた）底部層７に直接連結される。上部層１と、底部層７との間に、適切に形成された縁５がある。
【００４５】
図３０は、前述の建築部材を表し、これは、光透過層３と結合した上部層１からなる。上部層１の上の部分に取り付けられた、設計の追加要素１０がある。光透過層３は、（光マット８が取り付けられた）底部層７に直接連結される。上部層１と、底部層７との間に、適切に形成された縁５がある。
【００４６】
図３１は、考えられるパネル形状のうちの１つを表す。
【００４７】
図３２は、別の考えられるパネル形状を表す。
【図１】
2015533965.tif 000002
【図２】
2015533965.tif 000003
【図３】
2015533965.tif 000004
【図４】
2015533965.tif 000005
【図５】
2015533965.tif 000006
【図６】
2015533965.tif 000007
【図７】
2015533965.tif 000008
【図８】
2015533965.tif 000009
【図９】
2015533965.tif 000010
【図１０】
2015533965.tif 000011
【図１１】
2015533965.tif 000012
【図１２】
2015533965.tif 000013
【図１３】
2015533965.tif 000014
【図１４】
2015533965.tif 000015
【図１５】
2015533965.tif 000016
【図１６】
2015533965.tif 000017
【図１７】
2015533965.tif 000018
【図１８】
2015533965.tif 000019
【図１９】
2015533965.tif 000020
【図２０】
2015533965.tif 000021
【図２１】
2015533965.tif 000022
【図２２】
2015533965.tif 000023
【図２３】
2015533965.tif 000024
【図２４】
2015533965.tif 000025
【図２５】
2015533965.tif 000026
【図２６】
2015533965.tif 000027
【図２７】
2015533965.tif 000028
【図２８】
2015533965.tif 000029
【図２９】
2015533965.tif 000030
【図３０】
2015533965.tif 000031
【図３１】
2015533965.tif 000032
【図３２】
2015533965.tif 000033
【国際調査報告】
2015533965.tif 000034
2015533965.tif 000035